(57)【要約】      （修正有）【課題】冊子内のＩＣチップに記録したデータの正当性を確認できる冊子作成機および冊子作成方法を提供する。【解決手段】冊子作成装置１４は、ＩＣ書込部２３と、印刷部２５と、検査部２６と、ＩＣ再書込部２７とを有する。ＩＣ書込部２３は、初期状態の冊子に内蔵されたＩＣチップに個人情報を含む情報を書き込む。印刷部２５は、ＩＣ書込部２３により冊子に内蔵されたＩＣチップに書き込んだ情報を含む印刷内容を当該冊子の券面に印刷する。検査部２６は、ＩＣ書込部２３が冊子のＩＣチップに書き込んだ情報と印刷部２５が冊子の券面に印刷した情報とが整合するか否かを検査する。ＩＣ再書込部２７は、検査部２６により冊子の券面に印刷した情報と冊子のＩＣチップに書き込んだ情報とが整合しないと判定した場合、冊子のＩＣチップに書き込むべき情報を再度取得してＩＣチップに再書込みする。【選択図】図２
2013069029.tif 000002
【特許請求の範囲】
【請求項１】
個人用の冊子を作成する冊子作成機において、
初期状態の冊子に内蔵されたＩＣチップに個人情報を含む情報を書き込むＩＣ書込部と、
前記ＩＣ書込部により前記冊子に内蔵されたＩＣチップに書き込んだ情報を含む印刷内容を当該冊子の券面に印刷する印刷部と、
前記ＩＣ書込部が前記冊子のＩＣチップに書き込んだ情報と前記印刷部が前記冊子の券面に印刷した情報とが整合するか否かを検査する検査部と、
前記検査部により前記冊子の券面に印刷した情報と前記冊子のＩＣチップに書き込んだ情報とが整合しないと判定した場合、前記冊子のＩＣチップに書き込むべき情報を再度取得して前記ＩＣチップに再書込みするＩＣ再書込部と、
を具備することを特徴とする冊子作成機。
【請求項２】
前記検査部は、前記印刷部により印刷処理された前記冊子の券面における印刷領域に対して文字認識を行い、当該冊子のＩＣチップに書き込んだ情報と同じ情報が文字認識結果に含まれるか否かにより、前記券面に印刷した情報と前記ＩＣチップに書き込んだ情報とが整合するか否かを判定する、
ことを特徴とする前記請求項１に記載の冊子作成機。
【請求項３】
前記ＩＣ再書込部は、前記券面に印刷した情報と前記ＩＣチップに書き込んだ情報とが整合すると判定された冊子、および、前記ＩＣチップに再度取得した情報を再書込みした冊子に対して、前記ＩＣチップを閉塞する閉塞処理を実行する、
ことを特徴とする前記請求項１又は２に何れかに記載の冊子作成機。
【請求項４】
個人用の冊子を作成する冊子作成方法であって、
初期状態の冊子に内蔵されたＩＣチップに個人情報を含む情報を書き込み、
前記冊子に内蔵されたＩＣチップに書き込んだ情報を含む印刷内容を当該冊子の券面に印刷し、
前記冊子のＩＣチップに書き込んだ情報と前記冊子の券面に印刷した情報とが整合するか否かを確認し、
この確認により前記冊子の券面に印刷した情報と前記冊子のＩＣチップに書き込んだ情報とが整合しないと判定された場合、当該冊子のＩＣチップに書き込むべき情報を再度取得して前記ＩＣチップに再書込みする、
ことを特徴とする冊子作成方法。
【請求項５】
さらに、印刷処理後の前記冊子の券面における印刷領域に対して文字認識を行い、
前記整合性の確認は、当該冊子のＩＣチップに書き込んだ情報と同じ情報が文字認識結果に含まれるか否かにより、前記券面に印刷した情報と前記ＩＣチップに書き込んだ情報とが整合するか否かを判定する、
ことを特徴とする前記請求項４に記載の冊子作成方法。
【請求項６】
さらに、前記券面に印刷した情報と前記ＩＣチップに書き込んだ情報とが整合すると判定された冊子、および、前記ＩＣチップに再度取得した情報を再書込みした冊子に対して、前記ＩＣチップを閉塞する閉塞処理を実行する、
ことを特徴とする前記請求項４又は５に何れかに記載の冊子作成方法。
【発明の詳細な説明】
【技術分野】
【０００１】
本発明の実施形態は、冊子作成機及び冊子作成方法に関する。
【背景技術】
【０００２】
冊子作成機は、個人用の冊子に個人情報を含む情報を画像として印刷するとともに、当該冊子に内蔵されたＩＣチップ（単に、ＩＣとも称する）に個人情報を含む情報をデータとして記憶した個人用の冊子を作成するものがある。冊子作成機は、冊子に印刷した個人情報を含む画像については、正常に印刷されているか否かをチェックする機能を有する。しかしながら、従来の冊子作成機は、冊子に内蔵されたＩＣチップに記録したデータについては正当性の確認を行ってない。
【先行技術文献】
【特許文献】
【０００３】
【特許文献１】特開２００７−２４９７９９号公報
【発明の概要】
【発明が解決しようとする課題】
【０００４】
この発明は、冊子内のＩＣチップに記録したデータの正当性を確認できる冊子作成機および冊子作成方法を提供することを目的とする。
【課題を解決するための手段】
【０００５】
実施形態によれば、冊子作成装置は、ＩＣ書込部と、印刷部と、検査部と、ＩＣ再書込部とを有する。ＩＣ書込部は、初期状態の冊子に内蔵されたＩＣチップに個人情報を含む情報を書き込む。印刷部は、ＩＣ書込部により冊子に内蔵されたＩＣチップに書き込んだ情報を含む印刷内容を当該冊子の券面に印刷する。検査部は、ＩＣ書込部が冊子のＩＣチップに書き込んだ情報と印刷部が冊子の券面に印刷した情報とが整合するか否かを検査する。ＩＣ再書込部は、検査部により冊子の券面に印刷した情報と冊子のＩＣチップに書き込んだ情報とが整合しないと判定した場合、冊子のＩＣチップに書き込むべき情報を再度取得してＩＣチップに再書込みする。
【図面の簡単な説明】
【０００６】
【図１】図１は、実施形態に係る冊子作成システムの構成例を概略的に示す図である。
【図２】図２は、実施形態に係る冊子作成機の構成例を示す図である。
【図３】図３は、ＩＣ整合性チェックで冊子ＩＣに書き込まれたデータの整合性が確認できた場合の冊子作成処理における動作シーケンスを示す図である。
【図４】図４は、冊子ＩＣに書き込まれたデータの修正処理を実施する場合の冊子作成処理における動作シーケンスを示す図である。
【図５】図５は、冊子作成機における検査部及びＩＣ再書込部による処理の流れを説明するためのフローチャートである。
【発明を実施するための形態】
【０００７】
以下、実施形態について、図面を参照して説明する。  
図１は、実施形態に係る冊子作成システムの構成例を示す図である。  
冊子作成システムは、入力端末１２、上位端末１３、および、冊子作成機１４により構成される。オペレータは、入力端末１２あるいは上位端末１３を操作し、冊子に記録および印刷するための情報を入力する。冊子作成機１４は、入力端末１２あるいは上位端末１３で入力された情報に基づいて個人用の冊子を作成する。
【０００８】
入力端末１２は、オペレータが冊子作成機１４により作成する個人用の冊子に記録する情報を入力したり、冊子の作成指示を入力したりするものである。入力端末１２は、たとえば、上位端末１３及び冊子作成機１４との通信が可能なコンピュータ（ＰＣ）などにより構成される。
【０００９】
上位端末１３は、冊子作成機１４により作成する個人用の冊子に記録する情報を管理する。上位端末１３は、入力端末１２及び冊子作成機１４との通信機能を有するコンピュータ（ＰＣ）により構成できる。上位端末１３は、入力端末１２でオペレータが入力した個人用の冊子に記録すべき情報に基づいて個人用の冊子に印刷する情報と当該冊子に内蔵されるＩＣチップに記録する情報とを作成する。上位端末１３は、冊子に印刷する情報とＩＣチップに記録する情報とを記憶部に保存する。上位端末１３は、入力端末１２からの作成開始指示に応じて情報を個人用冊子の作成開始指示とともに、冊子に印刷する情報とＩＣチップに記録する情報とを冊子作成機１４へ送信する。また、個人用の冊子に記録すべき情報および冊子の作成開始指示は、上位端末１３に入力しても良い。
【００１０】
冊子作成機１４は、ＩＣチップを内蔵した記録媒体としての冊子に個人情報などの情報を記録した個人用の冊子を作成する。冊子作成機１４は、ＩＣチップを内蔵する初期状態の冊子を装置内に取り込み、当該冊子に内蔵されたＩＣチップに個人情報などの情報を書込み、さらに、当該冊子の券面にＩＣチップに書き込んだ情報と同じ情報を含む個人情報などの情報を印刷する。冊子作成機１４は、冊子の券面に印刷した印刷内容および冊子内のＩＣチップに記録したデータなどが正常か否かをチェックする機能を有する。
【００１１】
図２は、冊子作成機１４の構成例を示す図である。  
図２に示すように、冊子作成機１４は、制御部２０、供給部２１、めくり部２２、ＩＣ書込部２３、転写前不良排出部２４、印刷部２５、検査部２６、ＩＣ再書込部２７、正常集積庫２８、および不良集積庫２９を有する。制御部２０は、冊子作成機１４全体の制御を司るものであり、プロセッサ、ＲＯＭ、ＲＡＭ及び各種インターフェースなどにより構成する。制御部２０は、プロセッサがＲＯＭなどに記憶されたプログラムを実行することにより種々のデータ処理を実現している。
【００１２】
供給部２１は、複数冊の冊子を格納する格納部を有する。供給部２１は、格納部にセットされた初期状態の冊子を１冊ずつめくり部２２へ供給する。めくり部２２は、供給部２１から供給された冊子を後段の処理が行えるようにめくる。ＩＣ書込部２３は、冊子に内蔵されたＩＣチップに上位端末１３から取得した情報を書き込む。ＩＣチップは、たとえば、プロセッサ、メモリ及び非接触式通信部などを有し、冊子に内蔵できる小型の電子装置である。ＩＣチップは、上位装置（ＩＣ書込部２３、ＩＣ再書込部２７）からのコマンドに応じてデータの書き込み及び読み出しなどの処理を行う。
【００１３】
すなわち、ＩＣ書込部２３は、冊子に内蔵されたＩＣチップ（以下、冊子ＩＣと称する）に対して書込みコマンドを供給することによりＩＣチップにデータを書き込む。ＩＣ書込部２３が冊子ＩＣに書き込むデータは、個人情報などのセキュアな情報を含むデータであり、上位端末１３から取得する。
【００１４】
また、ＩＣチップは、セキュリティ機能を有しており、所定の処理を施すことにより、書き込まれたデータの書き換え及び追記を不可にする（閉塞する）ことができる。本実施形態の冊子作成機１４では、後段の処理（ＩＣ再書込部２７によりデータ修正処理）において、冊子ＩＣに書き込んだデータを書き換えることがある。このため、ＩＣ書込部２３では、冊子ＩＣへのデータ書込み後にデータの書き換えを禁止する閉塞処理（書換禁止処理）は実施しないようになっている。
【００１５】
転写前不良排出部２４は、印刷処理の前に不良と判断された冊子が排出される集積庫である。たとえば、ＩＣ書込み２３による正常な書込み処理が行えない冊子は、転写前不良排出部２４へ排出される。
【００１６】
印刷部２５は、冊子に印刷を行う。印刷部２５は、冊子におけるパーソナル頁に上位端末１３から取得する個人情報（氏名、顔画像等）を含む情報を印刷する。印刷部２５は、顔画像を印刷するためのカラープリンタ、蛍光画像を印刷するための蛍光プリンタ、および、所定のフォーマットで所定情報を所定位置（ＭＲＺ：マシンリーダブルエリア）にプリントするモノクロプリンタなどを有する。印刷部２５が冊子に印刷する情報には、冊子ＩＣに書き込む情報が含まれるものとする。
【００１７】
検査部２６は、冊子のパーソナル頁に印刷された印刷内容および冊子ＩＣに書き込まれた情報の正当性を検査する。検査部２６は、印刷内容を検査するために、印刷部２５による印刷処理された冊子のパーソナル頁の券面をスキャナ２６ａによりスキャンする。スキャナ２６ａは、印刷内容に対応した画像を読み込める構成を有する。たとえば、スキャナ２６ａは、印刷された顔画像を読取るためのカラースキャナ、蛍光画像を読取るための蛍光スキャナ、および、ＭＲＺの画像を読取るためのスキャナを有する。
【００１８】
検査部２６は、スキャナ２６ａが読み取る画像によりパーソナル頁の券面に印刷された印刷内容をチェックする機能を有する。検査部２６は、印刷内容をチェックする機能として、顔画像における縦スジの有無をチェックする縦スジチェック機能、蛍光画像をチェックする蛍光チェック機能、および、ＭＲＺの印刷内容をチェックするＭＲＺのリードチェック機能を有する。ＭＲＺのリードチェック機能は、ＭＲＺの領域を読取った画像を対象としてＯＣＲ処理を行うことにより、ＭＲＺの領域に所定の情報が所定フォーマットで印刷されているかをチェックする機能である。
【００１９】
さらに、検査部２６は、冊子ＩＣに書き込んだデータをチェックする機能も有する。検査部２６は、冊子の印刷された印刷内容と冊子ＩＣに書き込まれたデータとの整合性をチェックするＩＣ整合性チェックを行う。本実施形態では、冊子の券面に印刷される情報と冊子ＩＣに書き込まれる情報とは、同じ情報を含むものとする。たとえば、ＭＲＺのリードチェックで文字認識される情報には、冊子ＩＣに書き込まれているべき情報が含まれるものとする。例えば、氏名などの個人情報は、ＭＲＺのリードチェックで文字認識される情報と冊子ＩＣに書き込まれるべき情報とに含まれるものとする。この場合、検査部２６は、ＩＣ整合性チェックとして、ＭＲＺに対する文字認識結果と冊子ＩＣに書き込まれた情報とに同じ情報が含まれるか否かにより、両者が整合しているか否かをチェックする処理を行う。
【００２０】
ＩＣ再書込部（ＩＣ書込部）２７は、検査部２６により冊子に印刷された情報と冊子ＩＣに書き込まれている情報とが整合性していると判断された場合、当該冊子ＩＣを閉塞する閉塞処理（ＩＣ書込禁止処理）を行う。また、検査部２６により冊子に印刷された情報と冊子ＩＣに書き込まれている情報とが整合性していないと判断された場合、ＩＣ再書込部２７は、冊子ＩＣに書き込まれたデータを修正する修正（再書き込み）処理を行う。たとえば、ＩＣ再書込部２７は、上位端末１３から冊子ＩＣに書き込むべき情報を取得し、取得した情報により冊子ＩＣにデータを上書きすることにより冊子ＩＣのデータを修正する。冊子ＩＣのデータを修正すると、ＩＣ再書込部２７は、当該冊子ＩＣを閉塞する閉塞処理（ＩＣ書込禁止処理）を行う。
【００２１】
冊子ＩＣの情報の整合性が確認された冊子、あるいは、データ修正が完了した冊子は、ＩＣ書込禁止処理を実施した後、正常に作成された冊子として、正常集積庫に集積される。また、顔の縦スジチェック、蛍光チェック、或いは、ＭＲＺのリードチェックで異常が検出された冊子、冊子ＩＣの情報が印刷情報と整合せず、かつ、データ修正もできなかった冊子、および、ＩＣ書込禁止処理が正常に終了できなかった冊子は、不良冊子として、不良集積庫に集積される。正常集積庫および不良集積庫は、複数の冊子を集積することが可能な集積庫である。
【００２２】
次に、上記冊子作成システムの動作について説明する。  
図３は、冊子作成システムにおいて、冊子作成機１４が検査部２６における各種のチェックで正常と判定される冊子を作成する動作シーケンスを示す図である。  
まず、オペレータは、入力端末１２を使用し、冊子に記録及び印刷するための情報を入力する（ステップＳ１１）。冊子に記録及び印刷する情報が入力されると、入力端末１２は、上位端末１３へ入力された情報を送信する。上位端末１３は、入力端末１２で入力された情報を基に作成する冊子ＩＣに書き込むべき情報と作成する冊子の券面（パーソナル頁）に印刷すべき情報とを作成する。上位端末１３は、冊子作成機１４に対して冊子の作成を指示するとともに（ステップＳ１２）、冊子ＩＣに書き込むべき情報と券面に印刷すべき情報と送信する。
【００２３】
上位端末１３から冊子の作成指示を受けた冊子作成機１４の制御部２０は、供給部２１により初期状態の冊子をめくり部２２へ供給する（ステップＳ１３）。めくり部２２は、供給部２１から供給された冊子を後段の処理が行えるようにめくる（ステップＳ１４）。ＩＣ書込部２３は、上位端末１３から冊子ＩＣへの書き込みが指示された情報を当該冊子ＩＣへ書き込む処理を行う（ステップＳ１５）。ＩＣ書込部２３は、データの書き込みコマンドを冊子ＩＣへ供給し、冊子ＩＣから当該コマンドに対する書き込み完了を示すレスポンスを受けることより、データの書き込み処理を行う。ＩＣ書込部２３による書込み処理では、冊子ＩＣを閉塞する処理は実施しない。
【００２４】
印刷部２５は、ＩＣ書込部２３により冊子ＩＣにデータが書き込まれた冊子のパーソナル頁に入力端末１２から取得する個人情報（氏名、顔画像等）を含む情報を印刷する（ステップＳ１６）。印刷部２５は、顔画像、蛍光画像、および、ＭＲＺにおける所定の情報を当該冊子のパーソナル頁に印刷する。パーソナル頁への印刷が終了した冊子は、検査部２６へ供給される。
【００２５】
検査部２６は、冊子のパーソナル頁に印刷された印刷内容をチェックし、さらに、印刷内容と冊子ＩＣに書き込まれた情報との整合性をチェックする。検査部２６は、冊子のパーソナル頁の券面をスキャナ２６ａによりスキャンする（ステップＳ１８）。たとえば、スキャナ２６ａは、カラースキャナにより顔画像の印刷領域を読取り、蛍光スキャナにより蛍光画像の印刷領域を読取り、モノクロスキャナによりＭＲＺの画像を読取る。
【００２６】
検査部２６は、顔画像の印刷領域を読取った画像における縦スジをチェックする（ステップＳ１９）。縦スジが無いと判断すると、検査部２６は、蛍光画像が正常か否かをチェックする（ステップＳ２０）。蛍光画像が正常であると判断すると、検査部２６は、ＭＲＺのリードチェックを行う（ステップＳ２１）。検査部２６は、ＭＲＺの印刷領域を読取った画像に対して文字認識処理を実行する。検査部２６は、文字認識処理の結果として得られた情報がＭＲＺに印刷されているべき情報と一致するか否かをチェックする。文字認識処理の処理結果がＭＲＺに印刷されているべき情報と一致すると判断した場合、検査部２６は、ＭＲＺが正常に印刷されていると判断する。
【００２７】
なお、顔の縦スジチェック、蛍光画像の有無チェック、あるいは、ＭＲＺのリードチェックの３つのチェックのうちどれかでＮＧと判定された場合、制御部２０は、当該冊子を不要冊子として不良集積庫２９へ排出する。
【００２８】
ＭＲＺが正常に印刷されていると判断した場合、検査部２６は、ＩＣ整合性チェックとして、冊子ＩＣに書き込んだ情報とパーソナル頁に印刷した情報とが整合しているか否かをチェックする（ステップＳ２２）。ここでは、検査部２６は、冊子ＩＣに書き込んだ情報として上位端末１３から取得した情報とパーソナル頁に印刷した情報（例えば、ＭＲＺの文字認識結果）との整合性をチェックする。また、ＩＣ整合性チェックとしては、冊子ＩＣに実際に書き込まれている情報を読み取り、冊子ＩＣから読み取った情報とパーソナル頁に印刷した情報（例えば、ＭＲＺの文字認識結果）との整合性をチェックするようにしても良い。
【００２９】
ＩＣ整合性チェックにより冊子ＩＣに書き込んだ情報とパーソナル頁に印刷した情報とを整合していることが確認された場合、制御部２０は、当該冊子に内蔵されている冊子ＩＣをＩＣ再書込部２７により閉塞処理する（ステップＳ２３）。作成した冊子の冊子ＩＣを閉塞すると、制御部２０は、作成した冊子を正常に作成された個人用の冊子として、正常集積庫２８に排出し、上位端末１３および入力端末１２へ冊子の作成完了を通知する（ステップＳ２４、Ｓ２５）。
【００３０】
また、図４は、冊子作成システムにおいて、冊子作成機１４のＩＣ整合性チェックでデータの不一致と判定された場合の動作シーケンスを示す図である。  
図４に示す動作シーケンスは、冊子の作成開始からＩＣ整合性チェックまでの処理の流れは、図３に示す動作シーケンスと同様である。このため、ここでは、ＩＣ整合性チェックまでの処理については、詳細な説明を省略する。  
冊子作成機１４に検査部２６によるＩＣ整合性チェックにおいて冊子ＩＣに書き込んだ情報とパーソナル頁に印刷した情報とが整合しないと判定された場合、制御部２０は、冊子ＩＣに書き込むべきデータの取得を要求する電文（ＩＣデータの取得要求）を上位端末１３へ送信する（ステップＳ３１）。
【００３１】
上位端末１３は、冊子作成機１４からのＩＣデータ取得要求に応じて、当該冊子の冊子ＩＣに書き込むべきデータを再作成する。たとえば、上位端末１３は、入力端末１２により入力された情報に基づく当該冊子に記録すべき情報を記憶部に保持しておき、冊子作成機１４からのＩＣデータ取得要求に応じて当該冊子の冊子ＩＣに記憶すべき情報を再作成する。上位端末１３は、冊子作成機１４からのＩＣデータ取得要求に対する応答（ＩＣデータ取得応答）として、当該冊子の冊子ＩＣに書き込むべき情報を冊子作成機１４へ送信する（ステップＳ３２）。
【００３２】
ＩＣデータ取得要求に対するＩＣカード取得応答として上位端末１３から新たに冊子ＩＣに書き込むべきデータを取得した場合、制御部２０は、新たに取得したデータをＩＣ再書込部２７により冊子ＩＣに再度書き込む（例えば、上書き）することにより冊子ＩＣに書き込んだデータを修正するデータ修正処理を行う（ステップＳ３３）。冊子ＩＣに対するデータ修正処理が終了すると、ＩＣ再書込部２７は、当該冊子の冊子ＩＣを閉塞する閉塞処理を行う（ステップＳ２３）。冊子ＩＣを閉塞すると、制御部２０は、作成された冊子を正常集積庫２８に排出し、上位端末１３および入力端末１２へ冊子の作成完了を通知する（ステップＳ２４、Ｓ２５）。
【００３３】
次に、冊子作成機１４における検査部２６及びＩＣ再書込部２７の動作について説明する。  
図５は、冊子作成機１４における検査部２６及びＩＣ再書込部２７による処理を説明するためのフローチャートである。  
まず、パーソナル頁の券面に印刷が施された冊子が検査部２６へ供給されたものとする。すると、検査部２６は、印刷部２５により印刷処理された冊子の券面をスキャナ２６ａによりスキャンする（ステップＳ５１）。検査部２６は、スキャナ２６ａにより冊子の券面から読み取った顔画像の印刷領域の画像において縦スジの有無をチェックする（ステップＳ５２）。顔の縦スジが有ると判断した場合（ステップＳ５２、ＮＧ）、検査部２６は、当該冊子に印刷された顔画像にスジが有ることを制御部２０へ通知する。顔画像に縦スジがあることが通知された場合、制御部２０は、当該冊子を不良冊子として不良集積庫２９へ排出し（ステップＳ５９）、当該冊子の作成処理を終了する。
【００３４】
顔の縦スジが無いと判断した場合（ステップＳ５２、ＯＫ）、検査部２６は、当該冊子に蛍光画像があるか否かをチェックする（ステップＳ５３）。当該冊子に蛍光画像がないと判断した場合（ステップＳ５３、ＮＧ）、検査部２６は、当該冊子に蛍光画像が印刷されていない旨を制御部２０へ通知する。蛍光画像の印刷不良の通知を受けた場合、制御部２０は、当該冊子を不良冊子として不良集積庫２９へ排出し（ステップＳ５９）、当該冊子の作成処理を終了する。
【００３５】
当該冊子に蛍光画像が有ると判断した場合（ステップＳ５３、ＯＫ）、検査部２６は、当該冊子の券面におけるＭＲＺの印刷領域の読取画像に基づいてＭＲＺのリードチェックを行う（ステップＳ５４）。ＭＲＺのリードチェックにおいて、検査部２６は、ＭＲＺの印刷領域の読取画像に対する文字認識結果に基づいて、ＭＲＺに印刷されるべき情報が所定のフォーマットで正しく印刷されているかをチェックする。券面のＭＲＺに印刷されるべき情報が正しく印刷されていないと判断した場合（ステップＳ５４、ＮＧ）、検査部２６は、ＭＲＺの領域が正しく印刷されていない旨を制御部２０へ通知する。ＭＲＺが正しく印刷されていない旨の通知を受けた場合、制御部２０は、当該冊子を不良冊子として不良集積庫２９へ排出し（ステップＳ５９）、当該冊子の作成処理を終了する。
【００３６】
当該冊子の券面のＭＲＺに印刷されるべき情報が正しく印刷されていると判断した場合（ステップＳ５４、ＯＫ）、検査部２６は、当該冊子の冊子ＩＣに書き込まれた情報が当該冊子の券面に実際に印刷された情報とが整合しているか否かをチェックするＩＣ整合性チェックを行う（ステップＳ５５）。
【００３７】
冊子ＩＣに書き込まれた情報と券面に実際に印刷された情報とが整合していると判定した場合（ステップＳ５５、ＯＫ）、検査部２６は、当該冊子において冊子ＩＣに書き込んだ情報と券面に印刷した情報とが整合している旨を制御部２０へ通知する。冊子ＩＣに書き込んだ情報と券面に印刷した情報とが整合している旨の通知を受けた場合、制御部２０は、ＩＣ再書込部２７により当該冊子の冊子ＩＣに対して閉塞処理を実施する（ステップＳ５９）。閉塞処理は、冊子ＩＣに書き込んだデータの書き換えを禁止する処理である。閉塞処理が完了すると、制御部２０は、当該冊子の作成完了を上位端末１３へ通知し（ステップＳ５７）、当該冊子を正常に作成された冊子として、正常集積庫２８に排出し（ステップＳ５８）、当該冊子の作成処理を終了する。
【００３８】
ＩＣ整合性チェックにより冊子ＩＣに書き込まれた情報と券面に実際に印刷された情報とが整合していないと判定した場合（ステップＳ５５、ＮＧ）、検査部２６は、当該冊子において、冊子ＩＣに書き込んだ情報と券面に印刷した情報とが整合していない旨を制御部２０へ通知する。冊子ＩＣに書き込んだ情報と券面に印刷した情報とが整合していない旨の通知を受けた場合、制御部２０は、上位端末１３に対して、当該冊子の冊子ＩＣに書き込むべきデータの転送を要求するＩＣデータ取得要求を送信する。制御部２０は、ＩＣデータ取得要求に対するＩＣデータ取得応答として当該冊子の冊子ＩＣに書き込むべき情報を上位端末１３から取得する（ステップＳ６０）。
【００３９】
当該冊子の冊子ＩＣに書き込むべき情報を取得すると、制御部２０は、ＩＣ再書込部２７により当該冊子の冊子ＩＣに上位端末１３から取得した情報を書き込むことにより、冊子ＩＣが記憶するデータのデータ修正処理を行う（ステップＳ６１）。このような冊子ＩＣに記憶するデータの修正処理が正常に終了した場合（ステップＳ６２、ＹＥＳ）、制御部２０は、ＩＣ再書込部２７により当該冊子の冊子ＩＣに対して閉塞処理を実施する（ステップＳ５６）。冊子ＩＣに対する閉塞処理が正常に完了すると、制御部２０は、当該冊子の作成完了を上位端末１３へ通知し（ステップＳ５７）、当該冊子を正常に作成された冊子として、正常集積庫２８に排出し（ステップＳ５８）、当該冊子の作成処理を終了する。
【００４０】
また、書込み異常などにより冊子ＩＣに記憶するデータの修正が正常に行えなかった場合（ステップＳ６２、ＮＯ）、制御部２０は、当該冊子を不良冊子として、不良集積庫２９へ排出し（ステップＳ５９）、当該冊子の作成処理を終了する。
【００４１】
上記した処理によれば、冊子作成機は、券面に印刷した印刷内容のチェックだけでなく、冊子に内蔵したＩＣチップに書き込んだ情報と券面に印刷した印刷内容との整合性をチェックするＩＣ整合性チェックを行うようにしたものである。これにより、冊子作成機内におけるプログラムの不具合あるいはハードディスクの故障等によって冊子ＩＣに誤った情報が書き込まれた状態で冊子の作成処理が終了することを防止でき、不良冊子が作成されることを少なくできる。この結果として、無駄な冊子が作成されることを低減でき、冊子作成機による冊子作成処理の信頼性を高めることができる。
【００４２】
また、上記冊子作成機は、上記ＩＣ整合性チェックにより、オペレータには目視できないような冊子ＩＣに書き込まれたデータをチェックする。このため、上記冊子作成機によれば、オペレータには確認できないような冊子ＩＣ内のデータ異常などの不要冊子を排除できる。さらには、上記冊子作成機は、１つの冊子の作成処理の途中での冊子ＩＣに書き込むべきデータの修正が可能となる。このため、上記冊子作成機によれば、オペレータが冊子作成処理を開始するための操作をオペレータが最初から実行する必要はなくなり、効率的な作業を実現できる。
【００４３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４４】
１２…入力端末、１３…上位端末、１４…冊子作成機、２０…制御部、２１…供給部、２３…ＩＣ書込部、２４…転写前不良排出部、２５…印刷部、２６…検査部、２６ａ…スキャナ、２７…ＩＣ再書込部、２８…正常集積庫、２９…不良集積庫。
【図１】
2013069029.tif 000003
【図２】
2013069029.tif 000004
【図３】
2013069029.tif 000005
【図４】
2013069029.tif 000006
【図５】
2013069029.tif 000007